(57)【要約】【課題】プラグ型コネクタに設けた可動カバーによって、接点部に塵芥が付着することを防ぐようにする場合に、部品点数を増やさずに、ロック片が他の物品などに当たって変形したり破損したり、ロック片が人体に引掛かって傷付けるという事態を防ぐ。【解決手段】筐体１のベース１０に、接点部３２を備えた突出部１３を突設すると共に、ロック片４０を合成樹脂で一体成形する。突出部１３の接点部配備箇所を覆う突出位置とその後方の後退位置との間で前後方向出退可能な可動カバー５０を筐体１に取り付け、その可動カバー５０に、突出位置でロック片４０の周囲を覆ってそのロック片４０を収容し、後退位置でロック片４０を露出させるロック片収容部５５を追加して形成する。【選択図】        図１
2004363023.tif 000002
【特許請求の範囲】
【請求項１】
接片部材を収容している筐体に、相手方コネクタとしてのソケット型コネクタの筐体に差し込まる突出部が突設され、その突出部に、相手方コネクタの電極に接触する上記接片部材の接点部が配備されているプラグ型コネクタでなり、
上記突出部を上記相手方コネクタの筐体に差し込んだときにその相手方コネクタの筐体に具備された係止部に係止されて上記突出部を抜け止めするロック片が、上記筐体から突設されて上記突出部の側部に配備されており、
上記突出部の接点部配備箇所を覆う突出位置とその後方の後退位置との間で前後方向出退可能に可動カバーが上記突出位置に向けて常時付勢された状態で当該コネクタの上記筐体に取り付けられ、
その可動カバーに、上記突出部を相手方コネクタに差し込むのに伴ってその相手方コネクタに当たって押圧される受部が備わっていると共に、上記突出位置で上記ロック片の周囲を覆ってそのロック片を収容し、上記後退位置で上記ロック片を露出させて上記係止部に係合可能とするロック片収容部が追加して形成されていることを特徴とするコネクタ。
【請求項２】
上記ロック片が、筐体から延び出た曲り弾性を備える脚片部と、その脚片部の先端に具備されて上記脚片部の曲り変形を介して上記係止部に係脱可能な係止爪とを備え、かつ、このロック片が上記筐体と共に合成樹脂で一体成形されている請求項１に記載したコネクタ。
【請求項３】
上記ロック片収容部は、上記可動カバーが突出位置に位置しているときに、上記ロック片の係止爪を内部空間に収容可能な筒形に形成されていて、そのロック片収容部の壁部にその内部空間に収容された上記ロック片が当接することによってロック片の変位幅が規制されるようになっている請求項２に記載したコネクタ。
【請求項４】
相手方コネクタとしての上記ソケット型コネクタは、上記プラグ型コネクタの突出部が差し込まれる当該ソケット型コネクタの筐体の内壁面に、その突出部に配備された上記接片部材の接点部に接触する電極が配備されていると共に、その筐体に取り付けられて、上記突出部が抜き差しされる開口を塞ぐ閉位置と、その開口に差し込まれた上記突出部により押されてその開口を開く開位置との間で開閉動される開閉蓋を有し、かつ、その開閉蓋が上記閉位置に向けて常時弾発付勢されている請求項１ないし請求項３のいずれか１項に記載したコネクタ。
【発明の詳細な説明】
【０００１】
【発明の属する技術分野】
本発明は、コネクタ、特に、相手方コネクタとしてのソケット型コネクタと組み合わせて用いられるプラグ型コネクタに関する。
【０００２】
【従来の技術】
携帯電話機などに用いられる一般的な従来の入出力用コネクタは、プラグ型コネクタとその相手方コネクタとしてのソケット型コネクタとの組み合わせでなり、そのうちのあるものは、両者を接続したときに、不用意に接続が解除されないようにその接続状態を保持させることのために、プラグ型コネクタに弾性（ばね性）を備えた金属製又は樹脂製のロック片を具備させ、接続時にそのロック片がソケット型コネクタの筐体に具備されている係止部に係止する構成としている。
【０００３】
また、この種のコネクタの中には、プラグ型コネクタに備わっている接点部材の接点部を、プラグ型コネクタの筐体に設けられて前方へ張り出した突出部に配備する一方、ソケット型コネクタの筐体の内壁面に、プラグ型コネクタの上記接点部が接触する電極を配備したものが知られている。
【０００４】
一方、ディジタルビデオカメラにバッテリーボックスからの電源コードを接続することに用いられるスライド式コネクタが従来より知られている（たとえば、特許文献１参照）。このものは、プラグ型コネクタに相当する雄コネクタの差込部の両側に弾性を備えた金属片でなるロックレバーを配備し、上記差込部をソケット型コネクタに相当する雌コネクタの嵌合部に差し込んだときに、ロックレバーが上記嵌合部の係合凹部に係止して抜け止め作用を発揮したり節度感を発揮したりするように構成されている。
【０００５】
【特許文献１】
特開平９−６３６９７号公報
【０００６】
【発明が解決しようとする課題】
しかしながら、従来の入出力用コネクタでは、プラグ型コネクタの不使用時、たとえば、プラグ型コネクタをソケット型コネクタに接続していないときに、プラグ型コネクタの上記ロック片が外部に対してむき出しになって露出したままになるため、そのロック片が他の物品や人体の一部に引掛かったり当たったりすることによって変形したり破損したりするおそれがあった。特に、ロック片がその先端部に突起状の係止爪を備えているものが多いために、そのロック片自体が変形したり破損したりするだけでなく、その係止爪に他の物品や人体の一部が引掛かって物品や人体を傷付けるという事態の起こるおそれもあった。
【０００７】
また、筐体から前方へ張り出させた突出部に接片部材の接点部を配備したプラグ型コネクタと筐体の内壁面に電極を配備したソケット型コネクタとの組み合わせでなるコネクタでは、プラグ型コネクタとソケット型コネクタとを接続していないときに、プラグ型コネクタの突出部に配備されている接点部が外部にむき出しになってその接点部に塵芥が付着するという事態が起こりやすく、また、ソケット型コネクタにあっても、その筐体にプラグ型コネクタの突出部が差し込まれる開口が備わっているために、その開口から筐体の内部に侵入した塵芥がその電極に付着するという事態が起こりやすい。そして、プラグ型コネクタの上記接点部やソケット型コネクタの上記電極に塵芥が付着すると接触不良を生じるおそれがある。さらに、ソケット型コネクタの筐体の内部に導電性を持つ異物が侵入したような場合には、そのソケット型コネクタの電極同士の短絡事故の起こるおそれがあった。
【０００８】
上掲の特許文献１によって提案されているスライド式コネクタは、不使用時などに金属片でなるロックレバーがむき出しになって外部に露出したままになる。そのために、上記したところと同様に、他の物品や人体の一部にロックレバーやそれに具備されている突起状の係止爪が引掛かったり当たったりして同様の事態の起こるおそれがある。
【０００９】
本発明は以上の状況に鑑みてなされたものであり、携帯電話機の入出力用コネクタとしてのプラグ型コネクタの接点部、又は、同ソケット型コネクタの電極に塵芥が付着することを防ぎ、併せて、プラグ型コネクタの不使用時に、ロック片が他の物品や人体の一部に引掛かったり当たったりすることによるロック片自体の変形や破損を防ぎ、さらにはロック片が他の物品や人体を傷付けるという事態の起こるおそれを無くすることのできるコネクタを提供することを目的とする。
【００１０】
【課題を解決するための手段】
本発明に係るコネクタは、接片部材を収容している筐体に、相手方コネクタとしてのソケット型コネクタの筐体に差し込まる突出部が突設され、その突出部に、相手方コネクタの電極に接触する上記接片部材の接点部が配備されているプラグ型コネクタでなる。
【００１１】
そして、このプラグ型コネクタは、上記突出部を上記相手方コネクタの筐体に差し込んだときにその相手方コネクタの筐体に具備された係止部に係止されて上記突出部を抜け止めするロック片が、上記筐体から突設されて上記突出部の側部に配備されている。また、上記突出部の接点部配備箇所を覆う突出位置とその後方の後退位置との間で前後方向出退可能に可動カバーが上記突出位置に向けて常時付勢された状態で当該コネクタの上記筐体に取り付けられている。さらに、その可動カバーに、上記突出部を相手方コネクタに差し込むのに伴ってその相手方コネクタに当たって押圧される受部が備わっていると共に、上記突出位置で上記ロック片の周囲を覆ってそのロック片を収容し、上記後退位置で上記ロック片を露出させて上記係止部に係合可能とするロック片収容部が追加して形成されている。
【００１２】
この構成のコネクタにおいて、プラグ型コネクタの不使用時、すなわちプラグ型コネクタの突出部を相手方コネクタとしてのソケット型コネクタの筐体に差し込んでいないとき（以下「プラグ型コネクタの不使用時」という）には、突出位置に位置している可動カバーが上記突出部の接点部配備箇所を覆って接点部を防塵している。そして、プラグ型コネクタの突出部をソケット型コネクタの筐体に差し込むと、そのときの差込み操作により可動カバーの受部が相手方コネクタに当たって押圧されるために、可動カバーが付勢に抗して後退位置まで押し込まれ、それに伴ってプラグ型コネクタの接点部が露出してソケット型コネクタの電極に接触し、それらの接点部と電極とが電気的に接続される（以下この状態を「接続状態」という）。また、プラグ型コネクタの突出部をソケット型コネクタの筐体から引き抜くと、突出位置に向けて常時付勢されている可動カバーが後退位置から突出位置まで移動して突出部の接点部配備箇所を覆い、それによって接点部が防塵される。したがって、可動カバーに対して特別な押込み操作や復帰操作を行わずに、プラグ型コネクタをソケット型コネクタに接続することが可能である。
【００１３】
また、可動カバーにはロック片収容部が追加して形成されていて、そのロック片収容部は、可動カバーの突出位置でプラグ型コネクタのロック片の周囲を覆ってそのロック片を収容し、可動カバーの後退位置でロック片を露出させてソケット型コネクタの係止部に係合可能とする機能を発揮するので、接点部が可動カバーによって防塵されているプラグ型コネクタの不使用時には、ロック片がロック片収容部に収容され、接続状態ではそのロック片が露出してソケット型コネクタの係止部に係合して接続状態が保持される。
【００１４】
本発明では、上記ロック片が、筐体から延び出た曲り弾性を備える脚片部と、その脚片部の先端に具備されて上記脚片部の曲り変形を介して上記係止部に係脱可能な係止爪とを備え、かつ、このロック片が上記筐体と共に合成樹脂で一体成形されていることが望ましい。これによれば、ばね性を備えた金属片などの余分な部品を用いずにロック片を形成することが可能になる。そのために部品点数を増やさずにプラグ型コネクタを製作することが可能になるという利点がある。また、ロック片が係止爪を備えているとしても、プラグ型コネクタの不使用時には、上記のようにそのロック片が上記ロック片収容部に収容されるので、ロック片、特に係止爪が他の物品や人体の一部に当たってロック片の変形や破損を起こしたり、ロック片が他の物品や人体を傷付けるといった事態が起こらない。
【００１５】
本発明において、上記ロック片収容部は、上記可動カバーが突出位置に位置しているときに、上記ロック片の係止爪を内部空間に収容可能な筒形に形成されていて、そのロック片収容部の壁部にその内部空間に収容された上記ロック片が当接することによってロック片の変位幅が規制されるようになっていることが望ましい。これによれば、プラグ型コネクタの不使用時に何らかの原因でロック片に外力が加えられたとしても、そのロック片が筒形のロック片収容部の壁部に当接してその変位幅が規制される。そのため、ロック片収容部の壁部に当接するときのロック片の変位幅、具体的にはロック片収容部に収容されているロック片とロック片収容部の壁部との間に形成される隙間の広さを適切に定めておくだけで、ロック片の破損などが防止される。
【００１６】
本発明において、相手方コネクタとしての上記ソケット型コネクタは、上記プラグ型コネクタの突出部が差し込まれる当該ソケット型コネクタの筐体の内壁面に、その突出部に配備された上記接片部材の接点部に接触する電極が配備されていると共に、当該ソケット型コネクタの筐体に取り付けられて、上記突出部が抜き差しされる開口を塞ぐ閉位置と、その開口に差し込まれた上記突出部により押されてその開口を開く開位置との間で開閉動される開閉蓋を有し、かつ、その開閉蓋が上記閉位置に向けて常時弾発付勢されていることが望ましい。
【００１７】
この構成によれば、ソケット型コネクタの不使用時、すなわちプラグ型コネクタの突出部がソケット型コネクタの筐体に差し込まれていないとき（以下「ソケット型コネクタの不使用時」という）には、開閉蓋が開口を塞いでソケット型コネクタの筐体の内部に塵芥が侵入することを防ぐ。これによりソケット型コネクタの筐体の内壁面に配備されている電極が防塵される。また、開閉蓋は、プラグ型コネクタの突出部が開口を経てソケット型コネクタの筐体に挿入されたときに、その突出部によって押し開かれるので、プラグ型コネクタの突出部をソケット型コネクタの筐体に挿入するという操作を行うだけで、開閉蓋を開放するための特別な開放操作を行わずに、プラグ型コネクタとソケット型コネクタとが接続されるようになる。
【００１８】
【発明の実施の形態】
図１は本発明に係るコネクタとしてのプラグ型コネクタＰの外観を示した概略斜視図、図２（Ａ）はプラグ型コネクタの接片部材３０の組付け状態を示した概略平面図、同（Ｂ）はロック片４０を示した概略拡大斜視図、図３はプラグ型コネクタの可動カバーの組付け状態を示した概略平面図、図４は図１のＩＶ矢視図、図５は図１のＶ矢視拡大図、図６は可動カバー５０を後退位置に押し込んだ状態でのプラグ型コネクタの側面図、図７はソケット型コネクタＳの縦断面図、図８はソケット型コネクタＳの概略斜視図、図９（Ａ）はプラグ型コネクタを相手方コネクタとしてのソケット型コネクタに接続した状態でのロック片４０などの作用を説明するための一部破断平面図、同（Ｂ）は（Ａ）の部分拡大図である。
【００１９】
図１又は図２のように、プラグ型コネクタＰの筐体１は、合成樹脂成形体でなるベース１０とそのベース１０に装着された合成樹脂成形体でなるカバー体２０とによって形成されている。図２のように、ベース１０には、板片状に形成された複数の接片部材３０が横に並べて組み付けられた横長のヘッド部１２が備わっていると共に、そのベース１０を前方へ延出することにより前向きに突設された偏平な突出部１３が備わっていて、ベース１０や突出部１３に形成されている複数の平行な溝１１（図１又は図５参照）のそれぞれに、ヘッド部１２から前方へ延び出たそれぞれの接片部材３０が各別に嵌め込まれて位置決めされているのに対し、それらの接片部材３０の後端部が、ヘッド部１２の後方へ延び出た半田付け端子３１として形成されている。そして、それぞれの接片部材３０の先端部は上記溝１１の上方へ突き出す山形に形作られた接点部３２として形成されている。
【００２０】
また、ベース１０の左右の側部に、ベース１０と共に合成樹脂で一体成形されたロック片４０，４０が対称に備わり、これらのロック片４０，４０が突出部１３の側部に配備されている。図２（Ａ）又は同（Ｂ）のように、ロック片４０は、ベース１０に形成されて上記突出部１３の側方へ張り出した肩部１４の前端面から前方へ延び出た曲り弾性（ばね性）を備える脚片部４１と、その脚片部４１の検痰に具備されて外向きに突き出た係止爪４２とを有している。そして、脚片部４１が、突出部１３の側面１３ａに対する遠近方向に弾性変形可能であって、係止爪４２の先端面が傾斜した呼込みガイド面４３として形成されている。
【００２１】
さらに、ベース１０には、後述するばね体６０を収容する凹所１５，１５と、カバー体２０を係止するための係止突起１６，１６及び押え片１７，１７が左右対称位置にそれぞれ備わっている。そして、図１、図４又は図６のように、ベース１０に装着されたカバー体２０が、係止突起１６と押え片１７とにより挟み付けられて前後方向固定され、かつ、係止突起１６とカバー体２０の凹入部２１との嵌合箇所でカバー体２０が上下方向で固定されている。なお、図示省略しているけれども、筐体１には板金製のシールドフレームが取り付けられる。
【００２２】
図１のように筐体１に合成樹脂成形体でなる可動カバー５０が取り付けられている。図３又は図９（Ａ）のように、この可動カバー５０は、ベース１０の上に前後方向スライダ自在に配備されていて、その後端部左右に設けられたばね受け突起５１，５１とベース１０の後端部１８との間に、上記凹所１５，１５に収容されたコイルばねでなるばね体６０，６０が介在されていると共に、可動カバー５０の上面に具備された左右の係止突起５２，５２が、図４のようにカバー体２０に具備された前側段付部２２と後側段付部２３との対向空間内に配備されている。また、可動カバー５０の下面には、上記した複数の接片部材３０の接点部３２を各別に収容する溝が備わっている。したがって、この可動カバー５０は、係止突起５２が前側段付部２２に係止される位置と後側段付部２３に係止される位置との間で前後移動可能であり、ばね体６０によって常時前方に向けて付勢されている。そして、係止突起５２が前側段付部２２に係止された状態では、可動カバー５０が図３又は図４のようにベース１０の突出部１３の上まで突き出て突出位置に位置し、その突出位置では可動カバー５０が突出部１３の接点部配備箇所を覆うようになっているのに対し、係止突起５２が後側段付部２３に係止された状態では、可動カバー５０が上記突出位置の後方に後退して突出部１３の接点部配備箇所を露出させるようになっている。この可動カバー５０の前端部は、突出部１３を後述する相手方コネクタに差し込むのに伴ってその相手方コネクタに当たって押圧される受部５４として形成されている。
【００２３】
さらに、可動カバー５０の左右両側に、筒形に形成されたロック片収容部５５，５５が追加されている。これらのロック片収容部５５は可動カバー５０と共に合成樹脂で一体成形されていて、可動カバー５０が上記突出位置に位置しているときには、図３、図４又は図５によって類推できるように、ロック片４０の先端部に位置してる係止爪４２の全体を収容するのに対し、可動カバー５０が上記後退位置に位置すると、係止爪４２が露出するようになっている。また、係止爪４２がロック片収容部５５に収容されているときには、図５に示したように、係止爪４２の背面側に位置しているロック片収容部５５の壁部５６とロック片４０との間に微小隙間が形成されているに過ぎない構成になっていて、ロック片収容部５５に係止爪４２が収容されているときには、ロック片４０が筒形のロック片収容部５５の壁部に当接してロック片４０の変位幅が微小範囲に規制されるようになっている。そのため、ロック片収容部５５に係止爪４２が収容されているときに何らかの原因でロック片４０に外力が加わったとしても、ロック片４０が無理な変形を起こすという事態が起こり得なくなってロック片の永久変形や破損が防止され、また、ロック片収容部５５に係止爪４２が収容されているときは、ロック片４０が係止爪４２を備えているとしても、ロック片４０、特に係止爪４２が他の物品や人体の一部に当たってロック片４０が他の物品や人体を傷付けるといった事態も起こり得ない。
【００２４】
次に、図７又は図８を参照して相手方コネクタとしてのソケット型コネクタＳの構造を説明する。
【００２５】
ソケット型コネクタＳは、合成樹脂成形体でなる横長の筐体７に開口７１が備わっていて、この開口７１を介して筐体７に上記プラグ型コネクタＰの突出部１３が抜き差しされる。この筐体７の内壁面に複数の電極７２が横に並べて配備されていて、それらの各電極７２の後端部は筐体７の背方へ導出された半田付け端子７３として形成されている。さらに、筐体７の内部にシャッターとしての開閉蓋７４が備わり、この開閉蓋７４が上記開口７１を塞ぐ閉位置（図７参照）とその閉位置の後方の開位置との間で前後方向に移動可能になっていると共に、その開閉蓋７４が筐体７の内部の左右両側に配備されているコイルばねでなるばね体７５によって常時閉位置に向けて付勢されている。また、図９（Ａ）のように、筐体７の左右の壁部の前端部内側に段付状の係止部７８が追加して形成されている。なお、図７及び図８のソケット型コネクタＳでは、筐体７が板金製のシールドフレーム７６を備えている。
【００２６】
そして、ソケット型コネクタＳの筐体７の開口７１にプラグ型コネクタＰの突出部１３を差し込むことにより、ソケット型コネクタＳの筐体７の壁部７７によってプラグ型コネクタＰの可動カバー５０の受部５４を押圧させると共に、突出部１３によってソケット型コネクタＳ側の開閉蓋７４を押し込むようにすると、ソケット型コネクタＳ側の上記壁部７７によって可動カバー５０がばね体６０の付勢に抗して突出位置から後退位置まで押し込まれ、同時に、突出部１３がソケット型コネクタＳ側の開閉蓋７４をばね体７５の付勢に抗して開位置から閉位置まで押し込むので、プラグ型コネクタＰ側の接点部３２がソケット型コネクタＳ側の電極７２に接触して両者が電気的接続される。併せて、可動カバー５０が突出位置から後退位置まで後退すると、ロック片収容部５５がロック片４０の係止爪４２を収容している位置からその後方へ後退して係止爪４２が露出するので、図９（Ａ）又は同（Ｂ）のように、プラグ型コネクタＰ側のロック片４０の脚片部４１が撓んで係止爪４２がソケット型コネクタＳ側の筐体７に備わっている係止部７８を乗り越えてその係止部７８に係合する。これによってプラグ型コネクタＰとソケット型コネクタＳとの接続状態が保持されて、不用意に両者が離脱してその接続状態が遮断されるという事態が起こらなくなる。
【００２７】
なお、プラグ型コネクタＰをソケット型コネクタＳから引き抜いて両者の接続状態を解除するときには、プラグ型コネクタＰ側のロック片４０の係止爪４２とソケット型コネクタＳ側の係止部７８との係合を解除した後で、突出部１３をソケット型コネクタＳの筐体７から引き抜けばよい。この場合、たとえば図９（Ｂ９）に例示したように、係止部７８の内面を傾斜面７８ａとして形成しておくことによって、プラグ型コネクタＰを左右にこじることによってロック片４０の係止爪４２と係止部７８との係合状態を解除することができるようにすることが可能である。
【００２８】
【発明の効果】
以上のように、本発明に係るコネクタによれば、プラグ型コネクタの不使用時には可動カバーの作用によってその接点部に塵芥が付着することが防止され、ソケット型コネクタの不使用時には開閉蓋の作用によってその電極に塵芥が付着したり、その内部に導電性の異物が侵入して電極を短絡させるという事態が防止される。また、プラグ型コネクタとソケット型コネクタとを接続したときには、プラグ型コネクタの突出部がソケット型コネクタの筐体の内部に差し込まれ、かつ、ソケット型コネクタの開口がプラグ型コネクタによって塞がれるので、それらの接点部や電極に塵芥が付着したり導電性の異物が接触して短絡したりするという事態が防止される。
【００２９】
また、プラグ型コネクタの不使用時には、そのロック片が可動カバーに追加されたロック片収容部に収容されるので、ロック片が他の物品や人体の一部に当たって変形したり破損したりすることがなくなるだけでなく、ロック片が他の物品や人体を傷付けるという事態も起こり得なくなる。しかも、ロック片収容部に収容されたロック片は、その筒形に形作られたロック片収容部の壁部によってその変位幅が規制されるようになっているため、プラグ型コネクタの不使用時に何らかの原因でロック片に外力が加えられたとしてもロック片の破損などが防止される。
【００３０】
さらに、プラグ型コネクタのロック片をその筐体と共に合成樹脂で一体成形したものでは、ロック片としての余分な部品を用いる必要性がなくなり、そのために部品点数の増加を防いで組立工数の増加や価格の高騰を防ぐことが可能になるという利点がある。
【図面の簡単な説明】
【図１】本発明に係るコネクタとしてのプラグ型コネクタの外観を示した概略斜視図である。
【図２】（Ａ）はプラグ型コネクタの接片部材の組付け状態を示した概略平面図、（Ｂ）はロック片を示した概略拡大斜視図である。
【図３】プラグ型コネクタの可動カバーの組付け状態を示した概略平面図である。
【図４】図１のＩＶ矢視図である。
【図５】図１のＶ矢視拡大図である。
【図６】可動カバーを後退位置に押し込んだ状態でのプラグ型コネクタの側面図である。
【図７】ソケット型コネクタの縦断面図である。
【図８】ソケット型コネクタの概略斜視図である。
【図９】（Ａ）はプラグ型コネクタをソケット型コネクタに接続した状態でのロック片などの作用を説明するための一部破断平面図、（Ｂ）は（Ａ）の部分拡大図である。
【符号の説明】
１  プラグ型コネクタの筐体
７  ソケット型コネクタの筐体
１３  突出部
３０  接片部材
３２  接点部
４０  ロック片
４１  脚片部
４２  係止爪
５０  可動カバー
５４  受部
５５  ロック片収容部
５６  壁部
７１  開口
７２  電極
７４  開閉蓋
７８  係止部
Ｐ  プラグ型コネクタ
Ｓ  ソケッ  型コネクタ
【図１】
2004363023.tif 000003
【図２】
2004363023.tif 000004
【図３】
2004363023.tif 000005
【図４】
2004363023.tif 000006
【図５】
2004363023.tif 000007
【図６】
2004363023.tif 000008
【図７】
2004363023.tif 000009
【図８】
2004363023.tif 000010
【図９】
2004363023.tif 000011